(57)【特許請求の範囲】
【請求項１】
複数種類のポールのそれぞれが備える筒状の被取付部に取り付け可能な器具本体を備え、
前記器具本体は、端面が開放された筒状の取付部材を有し、
前記取付部材は、少なくとも第１取付部と、第２取付部と、第３取付部と、を有し、
前記第１取付部は、前記複数種類のポールのうち、前記被取付部の幅寸法が最も大きい第１ポールの前記被取付部を内部に収容し、かつ前記第１ポールの前記被取付部の先端に当たる第１当接面を有し、
前記第２取付部は、前記複数種類のポールのうちで前記被取付部の幅寸法が最も小さい第２ポールの前記被取付部を内部に収容し、かつ前記第２ポールの前記被取付部の先端に当たる第２当接面を有し、
前記第３取付部は、前記複数種類のポールのうちで、前記被取付部の幅寸法が前記第１ポールの前記被取付部の幅寸法よりも小さく、かつ前記第２ポールの前記被取付部の幅寸法よりも大きい第３ポールの前記被取付部を内部に収容し、さらに前記第３ポールの前記被取付部の先端に当たる第３当接面を有し、
前記取付部材は、前記第１取付部を前記端面の近くに配置し、前記端面から見て前記第１取付部の後方に前記第２取付部を配置し、前記端面から見て前記第１取付部と前記第２取付部との間に前記第３取付部を配置するように構成されている
ことを特徴とする照明器具。
【請求項２】
前記第１取付部は、前記取付部材の内周面から前記被取付部に向かって突出する複数の第１リブを有し、
前記第２取付部は、前記取付部材の内周面から前記被取付部に向かって突出する複数の第２リブを有し、
前記第１取付部の前記複数の第１リブのうちの少なくとも１つの前記第１リブは、前記第１ポールの前記被取付部の側面に当たるように構成され、
前記第２取付部の前記複数の第２リブのうちの少なくとも１つの前記第２リブは、前記第２ポールの前記被取付部の側面に当たるように構成されている
ことを特徴とする請求項１に記載の照明器具。
【請求項３】
前記第１取付部は、前記取付部材の内周面から前記被取付部に向かって突出する複数の第１リブを有し、
前記第２取付部は、前記取付部材の内周面から前記被取付部に向かって突出する複数の第２リブを有し、
前記第３取付部は、前記取付部材の内周面から前記被取付部に向かって突出する複数の第３リブを有し、
前記第１取付部の前記複数の第１リブのうちの少なくとも１つの前記第１リブは、前記第１ポールの前記被取付部の側面に当たるように構成され、
前記第２取付部の前記複数の第２リブのうちの少なくとも１つの前記第２リブは、前記第２ポールの前記被取付部の側面に当たるように構成され、
前記第３取付部の前記複数の第３リブのうちの少なくとも１つの前記第３リブは、前記第３ポールの前記被取付部の側面に当たるように構成されている
ことを特徴とする請求項１に記載の照明器具。
【請求項４】
前記第１取付部の前記複数の第１リブのうちの少なくとも１つの前記第１リブは、前記取付部材の外周面から前記取付部材の径方向に貫通するねじ孔を有する
ことを特徴とする請求項２または３に記載の照明器具。
【発明の詳細な説明】
【技術分野】
【０００１】
本発明は、照明器具に関する。より詳細には、ポールに取り付けられる照明器具に関する。
【背景技術】
【０００２】
従来例として、特許文献１に記載の照明器具を例示する。特許文献１に記載の照明器具は、共通ホルダを用いて外形の異なる２種類のポールに取り付け可能である。共通ホルダは、円形状に一体成型されたもので、小ポール用取付部と、大ポール用取付部と、グローブ用取付部とを有する。グローブ用取付部は、共通ホルダの下端に位置するもので、その形状は、円盤の台座形状に形成されている。
【０００３】
大ポール用取付部は、グローブ用取付部の内側内周部分が垂直上方向に延設され、外形の大きな大ポールをはめ込むことができ、かつこのはめ込まれている状態を保持することが可能に形成されている。
【０００４】
小ポール取付部は、共通ホルダの大ポール取付部の上面の一部が突出するように成型されている。また、小ポール取付部は、突出する部分が一対で、かつ対向配置するように形成されている。小ポール取付部には、小ポールの外周片（肉厚部分）を挿入する小ポール用挿入溝がそれぞれに設けられており、小ポールを取付ける場合には、小ポールは、対向配置される小ポール用挿入溝に挿入する。
【先行技術文献】
【特許文献】
【０００５】
【特許文献１】特開平１１−２８８６１５号公報
【発明の概要】
【発明が解決しようとする課題】
【０００６】
ところで、一般に、先端部の径が異なる複数の種類のポールが存在する。既存のポールに照明器具を取付ける場合、ポールの先端の径に対応する照明器具もしくはアダプタなどの部品が必要となる。特許文献１に記載の照明器具は、２つの異なるポールの径に対応するように形成されている。
【０００７】
しかしながら、ポールには、例えば、内周面に突起が形成されているポールや、内周面に別部品が設けられているポールが存在する。ポールの先端内部に上述の突起や別部品など有する小ポールに特許文献１に記載の照明器具を取り付けようとする場合、当該突起または部品が小ポール用挿入溝に入ることができず、照明器具を小ポールに取り付けることができない場合がある。
【０００８】
本発明は、上記事由に鑑みてなされており、ポールの先端内部の突起や部品の有無にかかわらず、径の異なる複数のポールのそれぞれに取り付け可能な照明器具を提供することを目的とする。
【課題を解決するための手段】
【０００９】
本発明の照明器具は、複数種類のポールのそれぞれが備える筒状の被取付部に取り付け可能な器具本体を備える。前記器具本体は、端面が開放された筒状の取付部材を有する。前記取付部材は、少なくとも第１取付部と、第２取付部と、第３取付部と、を有する。前記第１取付部は、前記複数種類のポールのうち、前記被取付部の幅寸法が最も大きい第１ポールの前記被取付部を内部に収容し、かつ前記第１ポールの前記被取付部の先端に当たる第１当接面を有する。前記第２取付部は、前記複数種類のポールのうちで前記被取付部の幅寸法が最も小さい第２ポールの前記被取付部を内部に収容し、かつ前記第２ポールの前記被取付部の先端に当たる第２当接面を有する。前記第３取付部は、前記複数種類のポールのうちで、前記被取付部の幅寸法が前記第１ポールの前記被取付部の幅寸法よりも小さく、かつ前記第２ポールの前記被取付部の幅寸法よりも大きい第３ポールの前記被取付部を内部に収容し、さらに前記第３ポールの前記被取付部の先端に当たる第３当接面を有する。前記取付部材は、前記第１取付部を前記端面の近くに配置し、前記端面から見て前記第１取付部の後方に前記第２取付部を配置し、前記端面から見て前記第１取付部と前記第２取付部との間に前記第３取付部を配置するように構成されていることを特徴とする。
【発明の効果】
【００１０】
本発明の照明器具は、ポールの先端内部の突起や部品の有無にかかわらず、径の異なる複数のポールのそれぞれに取り付け可能になるという効果がある。
【図面の簡単な説明】
【００１１】
【図１】本発明の実施形態に係る照明器具を示す正面図である。
【図２】同上の照明器具の要部を示す平面図である。
【図３】同上の照明器具を示す断面図である。
【図４】同上の照明器具の取付部材を示す底面図である。
【図５】同上のポールに取り付けられた状態の照明器具を示す一部破断した正面図である。
【図６】同上の別のポールに取り付けられた状態の照明器具を示す一部破断した正面図である。
【図７】同上のさらに別のポールに取り付けられた状態の照明器具を示す一部破断した正面図である。
【発明を実施するための形態】
【００１２】
以下、本発明の実施形態に係る照明器具について、図面を参照して詳細に説明する。本実施形態の照明器具は、複数の固体発光素子、例えば複数のＬＥＤ（Ｌｉｇｈｔ  Ｅｍｉｔｔｉｎｇ  Ｄｉｏｄｅ）を使用し、径の異なる３種類のポールに取り付け可能な照明器具である。また、図１に示すように、本実施形態の照明器具１は、例えば地面から立設されたポール１０に取り付けられ、ポール１０の周辺の地面を照らす街路灯や公園灯、道路灯などとして用いられる。ポール１０は、上下方向に長い円筒の鋼管からなり、先端（上端）側に照明器具１が取り付けられる被取付部１０１を備える。また、ポール１０の先端の面を上端面１０２とする。
【００１３】
なお、以下の構成は、本発明の一例に過ぎず、本発明が下記の実施形態に限定されることはなく、下記の実施形態以外であっても、本発明にかかる技術的思想を逸脱しない範囲であれば、設計等に応じて種々の変更が可能である。
【００１４】
以下の説明で、特に断りが無い限り、図１に示す向きにおいて、上下方向を規定して説明する。
【００１５】
本実施形態の照明器具１は、図１および図２に示すように、４つの光源モジュール２と、器具本体３とを備える。
【００１６】
４つの光源モジュール２のそれぞれは、図２に示すように、複数のＬＥＤ２１と、複数のＬＥＤ２１が実装された回路基板２２とを備える。回路基板２２には、コネクタ２３が実装され、コネクタ２３に接続されたケーブルを介して点灯電流が供給される（図３参照）。
【００１７】
器具本体３は、４つの光源モジュール２を収納する筐体４と、ポール１０の被取付部１０１を収容する取付部材５とを備える（図１参照）。
【００１８】
筐体４は、図３に示すように、グローブ４１と、カバー４２と、天板４３とを備える。
【００１９】
グローブ４１は、透光性を有する合成樹脂、例えば、アクリル樹脂によって、上面が開口する円形の箱形に形成される。グローブ４１は、円型板状の底壁４１１と、底壁４１１の周縁から上方向に延出する側壁４１２と、側壁４１２の先端から外側に向かって突出する鍔４１３とで構成される。底壁４１１と、側壁４１２と、鍔４１３は一体に形成されている。グローブ４１の底壁４１１の中央には、取付部材５の外形寸法よりも開口寸法が大きい開口４１４が形成されている。
【００２０】
カバー４２は、金属、例えば、アルミダイカスト、鉄、ステンレス鋼などによって、下面が開口する円型の箱形に形成される。カバー４２は、円型板状に形成される上壁４２１と、上壁４２１の周縁から下方向に延出する側壁４２２とで構成される。カバー４２の上壁４２１の中央付近には、天板４３が取り付けられる円型の開口４２３が形成されている。カバー４２は、側壁４２２がグローブ４１の鍔４１３の外縁よりも外側に取り付けられるように、カバー４２の内径が鍔４１３の外径よりも大きくなるように形成される。カバー４２は、グローブ４１の上面の開口を上側から覆うようにして、カバー４２の上側に配設される。なお、グローブ４１の鍔４１３とカバー４２の上壁４２１との間には、円環状に形成されたパッキン４４が挿入されている（図２参照）。パッキン４４は、周方向から見て断面がＵ字形状に形成され、かつ凹部にグローブ４１の鍔４１３を挟み込むように形成されている。
【００２１】
４つの光源モジュール２のそれぞれは、図２および図３に示すように、放射面が下向きになるように配設されて、２つのねじ６１によって、カバー４２の上壁４２１に固定されている。また、４つの光源モジュール２は、図２に示すように、カバー４２の上壁４２１の周方向に互いに等間隔になるようにして、上壁４２１の内周に固定されている。
【００２２】
天板４３は、図３に示すように、金属、例えば、アルミダイカスト、鉄、ステンレス鋼などによって、下面が開口する円型の箱形に形成される。天板４３は、円型板状に形成される上壁４３１と、上壁４３１の周縁から下方向に延出する側壁４３２とで構成される。上壁４３１には、３つのねじ６２のそれぞれが一対一に挿通可能な３つの挿通孔が形成されている。挿通孔は、カバー４２の上壁４２１に形成された挿通孔と、取付部材５に形成されるボス５５のねじ孔５５１とに連通している。天板４３の上壁４３１とカバー４２の上壁との間には、円環状に形成されたパッキン４５が挿入されている（図２参照）。
【００２３】
取付部材５は、金属、例えば、アルミダイカスト、鉄、ステンレス鋼などによって、両端が開口する円筒状に形成される。取付部材５は、上端側の径が小さく形成され、かつ周方向から見て外周面が段形状に形成された段部５０を有する。段部５０は、上面にパッキン４６が取り付けられる。パッキン４６が筐体４と段部５０の上面に挟み込まれるようにして、筐体４は、段部５０の上側に取り付けられる。カバー４２は、３つのねじ６３によって、取付部材５の上端に固定されている。取付部材５は、上下方向に長尺に形成される３つのボス５５を内周面に有する。３つのボス５５のそれぞれは、上下方向に形成されたねじ孔５５１を有する。天板４３は、カバー４２の上壁４２１の開口を覆うようにしてねじ６２によって取付部材５のねじ孔５５１に固定される。つまり、天板４３の挿通孔に上方からねじ６２が挿通され、かつねじ６２がボス５５のねじ孔５５１にねじ止めされることで、天板４３は、取付部材５に固定されている。つまり、３つのねじ６２のそれぞれが天板４３の上壁４３１に設けられた挿通孔およびカバー４２の上壁４２１に設けられた挿通孔を通って、ボス５５のねじ孔５５１に挿通されることで、天板４３は、取付部材５に固定される。
【００２４】
ところで、４つの光源モジュール２に点灯電流を供給する電源ユニットは、ポール１０の下部に取り付けられている。４つの光源モジュール２に一端が接続されるケーブルの他端は、電源ユニットに電気的に接続される。つまり、ケーブルは、器具本体３の内部で引き回される。そこで、取付部材５は、図２および図３に示すように、上端側の内部に、第１張力止め部材５６１と、第２張力止め部材５６２と、第１張力止め部材５６１および第２張力止め部材５６２とが取り付けられるベース５６０とを備える。
【００２５】
ベース５６０は、長尺の矩形体状に形成され、上下方向と直行する方向が長手方向になるように形成される。第１張力止め部材５６１は、矩形体状に形成され、長手方向がベース５６０の長手方向と平行になるようにベース５６０の上面に取り付けられる。第２張力止め部材５６２は、矩形体状に形成され、長手方向がベース５６０の長手方向に直交するようにベース５６０の上面に取り付けられる。当該ケーブルが第１張力止め部材５６１および第２張力止め部材５６２のそれぞれの外周面に沿って引き回されることで、当該ケーブルにかかる張力が抑制される。
【００２６】
ところで、取付部材５は、３種類の径の異なるポールを取り付け可能に構成されている。３種類のポール１０のそれぞれは、径の異なる被取付部１０１を有する。３種類の径の異なるポール１０うち被取付部１０１の径が最も大きいポール１０を第１ポール１０ａとし、第１ポール１０ａの被取付部１０１を第１被取付部１０１ａとする。また、３種類の径の異なるポール１０のうち被取付部１０１の径が最も小さいポール１０を第２ポール１０ｂとし、第２ポール１０ｂの被取付部１０１を第２被取付部１０１ｂとする。さらに、３種類の径の異なるポール１０のうち被取付部１０１の径が第１ポール１０ａよりも小さく、かつ第２ポール１０ｂよりも大きいポール１０を第３ポール１０ｃとし、第３ポール１０ｃの被取付部１０１を第３被取付部１０１ｃとする。取付部材５は、第１被取付部１０１ａ、第２被取付部１０１ｂ、および第３被取付部１０１ｃのいずれかであっても収容可能に形成されている（図５、図６、および図７参照）。なお、被取付部１０１の径は、被取付部１０１の幅寸法に相当する。
【００２７】
取付部材５は、図４に示すように、内周面に第１取付部５１と、第２取付部５２と、第３取付部５３とを備える。第１取付部５１は、図５に示すように、第１ポール１０ａの第１被取付部１０１ａを収容するように形成される。第２取付部５２は、図６に示すように、第２ポール１０ｂの第２被取付部１０１ｂを収容するように形成される。第３取付部５３は、図７に示すように、第３ポール１０ｃの第３被取付部１０１ｃを収容するように形成される。第１取付部５１、第２取付部５２、および第３取付部５３は、図３に示すように、取付部材５の下端面５０１から上方向に向かって第１取付部５１、第３取付部５３、第２取付部５２の順で取付部材５に形成されている。
【００２８】
以下、取付部材５について、詳細に説明する。まず、取付部材５の内周面には、第１リブ５１１、第２リブ５２１、および第３リブ５３１が、階段状に一体に形成されている。
【００２９】
第１取付部５１は、図４および図５に示すように、３つの第１リブ５１１と、３つの第２リブ５２１とによって構成されている。３つの第１リブ５１１は、取付部材５の周方向に互いに等間隔（１２０度間隔）に形成される。３つの第１リブ５１１は、１つの第１リブ５１１ａと、２つの第１リブ５１１ｂとで構成されている。１つの第１リブ５１１ａは、２つの第１リブ５１１ｂよりも取付部材５の周方向の長さが長く形成されている。なお、以下の説明において、第１リブ５１１ａ、５１１ｂに関して共通の説明をする場合は、第１リブ５１１として説明する。
【００３０】
３つの第１リブ５１１のそれぞれは、取付部材５の内周面から取付部材５の径方向の中心に向かって突出するように形成される。３つの第１リブ５１１は、３つの第２リブ５２１および３つの第３リブ５３１と比較して、突出量が最も小さく形成される。３つの第１リブ５１１のそれぞれは、取付部材５の径方向の中心側に第１内周面５１２を有する。３つの第１内周面５１２のそれぞれは、取付部材５と同心円の円弧を形成するように上下方向から見て円弧状に形成される。また、第１内周面５１２は、第１ポール１０ａの第１被取付部１０１ａが下方から挿通され易いように、上方向に向かうにつれて、内側に傾斜するテーパー面に形成される。すなわち、３つの第１内周面５１２を通る円の径は、上方向に向かうにつれて小さくなる。
【００３１】
第１取付部５１は、第１ポール１０ａの第１被取付部１０１ａの上端面１０２ａが接触する３つの第１当接面５１３を有する。３つの第１当接面５１３は、３つの第３リブ５３１のそれぞれの下端面である。
【００３２】
第１リブ５１１ａは、図３に示すように、取付部材５の外側から取付部材５の径方向にねじが挿通される２つのねじ孔５４１を有する。
【００３３】
第２取付部５２は、図４および図６に示すように、３つの第２リブ５２１と、３つのボス５５とによって構成されている。３つの第２リブ５２１は、取付部材５の周方向に互いに等間隔（１２０度間隔）に形成される。３つの第２リブ５２１は、１つの第２リブ５２１ａと、２つの第２リブ５２１ｂとで構成されている。１つの第２リブ５２１ａは、２つの第２リブ５２１ｂよりも取付部材５の周方向の長さが大きく形成されている。なお、以下の説明において、第２リブ５２１ａ、５２１ｂに関して共通の説明をする場合は、第２リブ５２１として説明する。
【００３４】
３つの第２リブ５２１のそれぞれは、取付部材５の内周面から取付部材５の径方向の中心に向かって突出するように形成される。３つの第２リブ５２１は、３つの第１リブ５１１および３つの第３リブ５３１と比較して、突出量が最も大きく形成される。３つの第２リブ５２１のそれぞれは、取付部材５の径方向の中心側に第２内周面５２２を有する。３つの第２内周面５２２のそれぞれは、取付部材５と同心円の円弧を形成するように上下方向から見て円弧状に形成される。また、第２内周面５２２は、第２ポール１０ｂの第２被取付部１０１ｂが下方から挿通され易いように、上方向に向かうにつれて、内側に傾斜するテーパー面に形成される。すなわち、３つの第２内周面５２２を通る円の径は、上方向に向かうにつれて小さくなる。
【００３５】
第２取付部５２は、第２ポール１０ｂの第２被取付部１０１ｂの上端面１０２ｂが接触する３つの第２当接面５２３を有する。３つの第２当接面５２３は、３つのボス５５のそれぞれの下端面である。
【００３６】
第３取付部５３は、図４および図７に示すように、３つの第３リブ５３１と、３つの第２リブ５２１とによって構成されている。３つの第３リブ５３１は、取付部材５の周方向に互いに等間隔（１２０度間隔）に形成されている。３つの第３リブ５３１は、１つの第３リブ５３１ａと、２つの第３リブ５３１ｂとで構成されている。１つの第３リブ５３１ａは、２つの第３リブ５３１ｂよりも取付部材５の周方向の長さが大きく形成されている。なお、以下の説明において、第３リブ５３１ａ、５３１ｂに関して共通の説明をする場合は、第３リブ５３１として説明する。
【００３７】
３つの第３リブ５３１のそれぞれは、取付部材５の内周面から取付部材５の径方向の中心に向かって突出するように形成される。３つの第３リブ５３１は、３つの第１リブ５１１の突出量よりも突出量が大きくなるように形成され、かつ３つの第２リブ５２１の突出量よりも突出量が小さくなるように形成される。３つの第３リブ５３１のそれぞれは、取付部材５の径方向の中心側に第３内周面５３２を有する。３つの第３内周面５３２のそれぞれは、取付部材５と同心円の円弧を形成するように上下方向から見て円弧状に形成される。また、第３内周面５３２は、第３ポール１０ｃの第３被取付部１０１ｃが下方から挿通され易いように、上方向に向かうにつれて、内側に傾斜するテーパー面に形成される。すなわち、３つの第３内周面５３２を通る円の径は、上方向に向かうにつれて小さくなる。
【００３８】
第３取付部５３は、第３ポール１０ｃの第３被取付部１０１ｃの上端面１０２ｃが接触する第３当接面５３３を有する。第３当接面５３３は、３つの第２リブ５２１のそれぞれの下端面である。
【００３９】
ここで、図３および図５を参照して、第１ポール１０ａに照明器具１を取り付ける方法について説明する。作業者は、取付部材５の内部に第１ポール１０ａの第１被取付部１０１ａを収容するために、照明器具１を第１ポール１０ａの上方から下向きに移動させる。作業者は、第１被取付部１０１ａの外周面が３つの第１リブ５１１のそれぞれの第１内周面５１２に沿うように照明器具１をさらに下向きに移動させる。第１被取付部１０１ａの上端面１０２ａが第１当接面５１３に接触することで、照明器具１は、下向きの移動が規制される。作業者は、２つのねじ孔５４１のそれぞれにねじを、第１被取付部１０１ａの外周面に接触するまでねじ込む。当該ねじの先端が第１被取付部１０１ａの外周面に接触することで、第１被取付部１０１ａの外周面は、２つの第１リブ５１１ｂの第１内周面５１２のそれぞれに押し付けられる。このようにして、照明器具１は、第１ポール１０ａに取り付けられる。
【００４０】
図３および図６を参照して、第２ポール１０ｂに照明器具１を取り付ける方法について説明する。作業者は、取付部材５の内部に第２ポール１０ｂの第２被取付部１０１ｂを収容するために、照明器具１を第２ポール１０ｂの上方から下向きに移動させる。作業者は、第２被取付部１０１ｂの外周面が３つの第２リブ５２１のそれぞれの第２内周面５２２に沿うように照明器具１をさらに下向きに移動させる。第２被取付部１０１ｂの上端面１０２ｂが第２当接面５２３に接触することで、照明器具１は、下向きの移動が規制される。作業者は、２つのねじ孔５４１のそれぞれにねじを、第２被取付部１０１ｂの外周面に接触するまでねじ込む。当該２つのねじの先端が第２被取付部１０１ｂの外周面に接触することで、第２被取付部１０１ｂの外周面は、２つの第２リブ５２１ｂの第２内周面５２２のそれぞれに押し付けられる。このようにして、照明器具１は、第２ポール１０ｂに取り付けられる。
【００４１】
図３および図７を参照して、第３ポール１０ｃに照明器具１を取り付ける方法について説明する。作業者は、取付部材５の内部に第３ポール１０ｃの第３被取付部１０１ｃを収容するために、照明器具１を第３ポール１０ｃの上方から下向きに移動させる。作業者は、第３被取付部１０１ｃの外周面が３つの第３リブ５３１のそれぞれの第３内周面５３２に沿うように照明器具１をさらに下向きに移動させる。第３被取付部１０１ｃの上端面１０２ｃが第３当接面５３３に接触することで、照明器具１は、下向きの移動が規制される。作業者は、２つのねじ孔５４１のそれぞれにねじを、第３被取付部１０１ｃの外周面に接触するまでねじ込む。当該２つのねじが第３被取付部１０１ｃの外周面に接触することで、第３被取付部１０１ｃの外周面は、２つの第３リブ５３１ｂのそれぞれに接触する。このようにして、照明器具１は、第３ポール１０ｃに取り付けられる。
【００４２】
本実施形態の照明器具１は、取付部材５の内周面に３つの第１リブ５１１、３つの第２リブ５２１、および３つの第３リブ５３１を備えているので、ポール１０の先端内部の突起や部品の有無にかかわらず、ポール１０に取り付けられることができる。また、照明器具１は、第１取付部５１、第２取付部５２、および第３取付部５３を有することで、径の異なるポール１０に取り付け可能となる。
【００４３】
なお、光源モジュールは、本実施形態のような複数のＬＥＤを用いた光源モジュール２に限定されない。光源モジュールは、複数のＬＥＤの代わりに、蛍光灯などを用いた光源モジュールでもよい。また、照明器具１において、光源モジュール２の数は４つに限定されず、１〜３、または５以上の光源モジュール２が用いられてもよい。さらに、筐体４の形状は、本実施形態に限定されず、グローブとカバーとで構成される球体に形成されてもよい。
【００４４】
カバー４２、天板４３、および取付部材５のそれぞれは、本実施形態の例に挙げられている金属に限定されず、例にない金属によって形成されてもよい。グローブ４１は、本実施形態の例に挙げられているアクリル樹脂に限定されず、アクリル樹脂以外の透光性を有する合成樹脂またはガラスなどによって形成されてもよい。
【００４５】
取付部材５は、第１取付部５１、第２取付部５２、および第３取付部５３の３つの取付部を有する構成に限定されない。取付部材５は、第１取付部５１および第２取付部５２の２つの取付部を有する構成でもよい。また、取付部材５は、４つ以上の取付部を有する構成でもよい。
【００４６】
第１取付部５１、第２取付部５２、および第３取付部５３のそれぞれには、例えば、内周面に形成される円環状のリブが形成されてもよい。また、第１リブ５１１、第２リブ５２１、および第３リブ５３１のそれぞれの数は３つに限定されない。第１取付部５１、第２取付部５２、および第３取付部５３のそれぞれは、１、２、または４以上の複数のリブで構成されてもよい。
【００４７】
ねじ孔５４１の数および形成場所は本実施形態に限定されない。例えば、ねじ孔５４１は、第１リブ５１１ａ、第２リブ５２１ａ、および第３リブ５３１ａのそれぞれに設けられてもよい。また、ねじ孔５４１は、３つの第１リブ５１１、３つの第２リブ５２１、および３つの第３リブ５３１以外の場所、例えば、第１リブ５１１ａと第１リブ５１１ｂとの間に形成されてもよい。
【００４８】
取付部材５は円筒状に限定されない。取付部材５は、水平方向の断面が多角形である筒状に形成されてもよい。
【００４９】
本実施形態の照明器具１は、複数種類のポール１０のそれぞれが備える筒状の被取付部１０１に取り付け可能な器具本体３を備える。器具本体３は、端面が開放された筒状の取付部材５を有する。取付部材５は、少なくとも第１取付部５１および第２取付部５２を有する。第１取付部５１は、複数種類のポール１０のうち、被取付部１０１の幅寸法（径）が最も大きい第１ポール１０ａの被取付部（第１被取付部）１０１ａを内部に収容し、かつ第１ポール１０ａの被取付部（第１被取付部）１０１ａの先端（上端面）１０２ａに当たる第１当接面５１３を有する。第２取付部５２は、複数種類のポール１０のうちで被取付部１０１の幅寸法（径）が最も小さい第２ポール１０ｂの被取付部（第２被取付部）１０１ｂを内部に収容し、かつ第２ポール１０ｂの被取付部（第２被取付部）１０１ｂの先端（上端面）１０２ｂに当たる第２当接面５２３を有する。取付部材５は、第１取付部５１を端面（下端面）５０１の近くに配置し、第２取付部５２を端面（下端面）５０１から見て第１取付部５１の後方に配置するように構成されている。
【００５０】
本実施形態の照明器具１は、上述のように構成されているので、ポール１０の先端内部の突起や別部品の有無にかかわらず、径の異なるポールに取り付け可能になる。
【００５１】
本実施形態の照明器具１において、取付部材５は、第３取付部５３をさらに有することが好ましい。第３取付部５３は、複数種類のポール１０のうちで、被取付部１０１の幅寸法（径）が第１ポール１０ａの被取付部（第１被取付部）１０１ａの幅寸法（径）よりも小さく、かつ第２ポール１０ｂの被取付部（第２被取付部）１０１ｂの幅寸法（径）よりも大きい第３ポール１０ｃの被取付部（第３被取付部）１０１ｃを内部に収容することが好ましい。さらに第３取付部５３は、第３ポール１０ｃの被取付部（第３被取付部）１０１ｃの先端（上端面）１０２ｃに当たる第３当接面５３３を有することが好ましい。取付部材５は、端面（下端面）５０１から見て、第１取付部５１と第２取付部５２との間に第３取付部５３を配置するように構成されていることが好ましい。
【００５２】
本実施形態の照明器具１が上述のように構成されると、３種類のポール１０に取り付けられることが可能である。
【００５３】
本実施形態の照明器具１において、第１取付部５１は、取付部材５の内周面から被取付部（第１被取付部）１０１ａに向かって突出する複数の第１リブ５１１を有することが好ましい。第２取付部５２は、取付部材５の内周面から被取付部（第２被取付部）１０１ｂに向かって突出する複数の第２リブ５２１を有することが好ましい。第１取付部５１の複数の第１リブ５１１のうちの少なくとも１つの第１リブ５１１ｂは、第１ポール１０ａの被取付部（第１被取付部）１０１ａの側面（外周面）に当たるように構成されていることが好ましい。第２取付部５２の複数の第２リブ５２１のうちの少なくとも１つの第２リブ５２１ｂは、第２ポール１０ｂの被取付部（第２被取付部）１０１ｂの側面（外周面）に当たるように構成されていることが好ましい。
【００５４】
本実施形態の照明器具１において、第１取付部５１は、取付部材５の内周面から被取付部（第１被取付部）１０１ａに向かって突出する複数の第１リブ５１１を有することが好ましい。第２取付部５２は、取付部材５の内周面から被取付部（第２被取付部）１０１ｂに向かって突出する複数の第２リブ５２１を有することが好ましい。第３取付部５３は、取付部材５の内周面から被取付部（第３被取付部）１０１ｃに向かって突出する複数の第３リブ５３１を有することが好ましい。第１取付部５１の複数の第１リブ５１１のうちの少なくとも１つの第１リブ５１１ｂは、第１ポール１０ａの被取付部（第１被取付部）１０１ａの側面（外周面）に当たるように構成されていることが好ましい。第２取付部５２の複数の第２リブ５２１のうちの少なくとも１つの第２リブ５２１ｂは、第２ポール１０ｂの被取付部（第２被取付部）１０１ｂの側面（外周面）に当たるように構成されていることが好ましい。第３取付部５３の複数の第３リブ５３１のうちの少なくとも１つの第３リブ５３１ｂは、第３ポール１０ｃの被取付部（第３被取付部）１０１ｃの側面（外周面）に当たるように構成されていることが好ましい。
【００５５】
本実施形態の照明器具１が上述のように構成されると、照明器具１の軽量化を図ることができる。
【００５６】
本実施形態の照明器具１において、第１取付部５１の複数の第１リブ５１１うちの少なくとも１つの第１リブ５１１は、取付部材５の外周面から取付部材５の径方向に貫通するねじ孔５４１を有することが好ましい。
【００５７】
本実施形態の照明器具１が上述のように構成されると、取付部材５の径方向の移動を規制することができる。
【符号の説明】
【００５８】
１  照明器具
１０  ポール
１０ａ  第１ポール
１０ｂ  第２ポール
１０ｃ  第３ポール
１０１  被取付部
１０１ａ  第１被取付部
１０１ｂ  第２被取付部
１０１ｃ  第３被取付部
１０２ａ  上端面（先端）
１０２ｂ  上端面（先端）
１０２ｃ  上端面（先端）
３  器具本体
５  取付部材
５０１  下端面（端面）
５１  第１取付部
５１１  第１リブ
５１１ａ  第１リブ
５１１ｂ  第１リブ
５１３  第１当接面
５２  第２取付部
５２１  第２リブ
５２１ａ  第２リブ
５２１ｂ  第２リブ
５２３  第２当接面
５３  第３取付部
５３１  第３リブ
５３１ａ  第３リブ
５３１ｂ  第３リブ
５３３  第３当接面
５４１  ねじ孔
【図１】
0006722882.tif 000002
【図２】
0006722882.tif 000003
【図３】
0006722882.tif 000004
【図４】
0006722882.tif 000005
【図５】
0006722882.tif 000006
【図６】
0006722882.tif 000007
【図７】
0006722882.tif 000008